【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
容器のためのクロージャにおいて、前記容器が前記容器の開口部を囲む縁を有し、前記縁が前記開口部から前記縁の外周まで延在する連続的な環状上係合面を有し、
ａ．ポリマーオリフィスレデューサであって、前記オリフィスレデューサが前記容器の前記縁の上に配設されるように構成され、前記オリフィスレデューサが、下面と、上面と、前記下面から前記上面に通過させる少なくとも１つの予め形成された小出し開口部とを有し、前記下面が、前記縁の前記上係合面の上に配設されて、前記上係合面に恒久的に固定されるように構成される下向き環状係合面を含む、射出成型部品であるポリマーオリフィスレデューサと、
ｂ．前記オリフィスレデューサの前記上面の少なくとも一部の上に配設される可撓性の不正開封防止シールであって、前記可撓性の不正開封防止シールが第１のシール部と第２のシール部とを含み、前記第１のシール部が、前記下向き環状係合面の真上の前記オリフィスレデューサの前記上面の少なくとも一部の領域の上に配設され、前記第２のシール部が前記少なくとも１つの予め形成された小出し開口部を覆い、前記可撓性の不正開封防止シールが前記オリフィスレデューサより可撓性であり、前記第２のシール部が、前記少なくとも１つの予め形成された小出し開口部にアクセスするために、前記少なくとも１つの予め形成された小出し開口部から少なくとも一部において取り除かれる、かつ／または、貫通穴が開けられるように構成され、前記第１のシール部は、前記第１のシール部が加熱されるとき、前記オリフィスレデューサの前記下向き環状係合面を前記容器の前記縁の前記上係合面にヒートシールにより恒久的に固定するように構成され、これにより前記可撓性の不正開封防止シールが前記オリフィスレデューサの前記上面の少なくとも一部に固定される、可撓性の不正開封防止シールと
を備え、
前記オリフィスレデューサは第１の厚さと第２の厚さを有し、前記第１の厚さは前記上面と前記下向き環状係合面との間で、前記上面の真下に位置し、前記第２の厚さは前記下向き環状係合面から半径方向内側の任意の部分における前記オリフィスレデューサの厚さであり、前記第２の厚さが前記第１の厚さより大きい、
クロージャ。
【請求項２】
前記第１の厚さが、０．１〜１．０ｍｍである、請求項１に記載のクロージャ。
【請求項３】
前記可撓性の不正開封防止シールが箔を備える、請求項１または２に記載のクロージャ。
【請求項４】
前記オリフィスレデューサの下向き環状係合面が、前記第１のシール部の少なくとも一部を加熱することによって前記縁の前記上係合面に恒久的に接着されるように構成され、それによって、前記下向き環状係合面を融解させ、その後、冷えてから十分に硬化させて、前記ヒートシールを形成して前記オリフィスレデューサを前記縁の前記上係合面に恒久的に接着する、請求項１〜３のいずれか一項に記載のクロージャ。
【請求項５】
前記オリフィスレデューサの前記下面の少なくとも一部に取り付けられたまたは一体である、活性薬剤が混入されたポリマーをさらに備える、
請求項１または２に記載のクロージャ。
【請求項６】
前記活性薬剤が混入されたポリマーが、マルチショット射出成形プロセスでオリフィスレデューサ上に射出成形される、請求項５に記載のクロージャ。
【請求項７】
前記活性薬剤が、乾燥剤である、請求項５に記載のクロージャ。
【請求項８】
前記活性薬剤が混入されたポリマーが、ベースポリマーおよび前記活性薬剤を含む２相ポリマー、またはベースポリマーおよび前記活性薬剤からなる２相ポリマーである、
請求項５に記載のクロージャ。
【請求項９】
前記活性薬剤が混入されたポリマーが、ベースポリマーと前記活性薬剤とチャネリング剤とを含む３相ポリマー、または、ベースポリマーと前記活性薬剤とチャネリング剤とからなる３相ポリマーである、請求項６に記載のクロージャ。
【請求項１０】
前記活性薬剤が混入されたポリマーが、前記少なくとも１つの予め形成された小出し開口部を妨げない、請求項５に記載のクロージャ。
【請求項１１】
前記クロージャが、
ａ．スナップフィット、締まり嵌め、または螺合によって、前記縁の外部および／または前記容器の首部に固定されるのに適合された下向き突出スカート、
ならびに／あるいは、
ｂ．スナップフィット、締まり嵌め、または螺合によって、前記縁の内部および／または前記容器の前記首部に固定されるのに適合された下向き突出ストッパ
を含まない、請求項１または２に記載のクロージャ。
【請求項１２】
前記オリフィスレデューサが、少なくとも一部において、熱可塑性樹脂から射出成形される、請求項１または２に記載のクロージャ。
【請求項１３】
前記下向き環状係合面が、前記縁の前記上係合面全体の上に配設されて、前記上係合面全体に固定されるように構成される、
請求項１または２に記載のクロージャ。
【請求項１４】
前記上部から垂れ下がり、環状境界で終了する環状スカートを有する上部を有するキャップをさらに備え、前記キャップが前記キャップの前記スカート内に内部空間を画定し、前記オリフィスレデューサおよび前記可撓性の不正開封防止シールが、前記キャップの前記内部空間内に配設され、前記オリフィスレデューサはどの部分も前記環状境界を越えて延在しない、請求項１または２に記載のクロージャ。
【請求項１５】
前記可撓性の不正開封防止シールが、前記容器の前記縁の前記上係合面に直接接触しないように構成される、
請求項１または２に記載のクロージャ。
【請求項１６】
ａ．基部と、前記基部から延在して前記容器の開口部を囲む縁につながる１つまたは複数の側壁とを有する本体であって、前記縁が前記開口部から前記縁の外周まで延在する連続的な環状上係合面を有する、本体と、
ｂ．請求項１〜１５のいずれか一項に記載のクロージャであって、前記オリフィスレデューサの下向き環状係合面が、前記縁の前記上係合面の上に配設されて、前記上係合面に恒久的に固定される、クロージャと
を備える、容器。
【請求項１７】
前記上部から垂れ下がり、環状境界で終了する環状スカートを有する上部を有するキャップをさらに備え、前記キャップが前記キャップの前記スカート内に内部空間を画定し、前記オリフィスレデューサおよび前記可撓性の不正開封防止シールが、前記キャップの前記内部空間内に配設され、前記オリフィスレデューサはどの部分も前記環状境界を越えて延在せず、前記キャップが前記開口部の上に取り外し可能に固定される、請求項１６に記載の容器。
【請求項１８】
前記キャップが、前記キャップを前記容器から取り外すために、単一方向の力を２つ以上前記キャップに加える必要がある子供のいたずら防止機能を備える、請求項１７に記載の容器。
【請求項１９】
前記キャップが、外キャップ内に固定される内キャップを備えるキャップ組立体であり、前記キャップ組立体が子供のいたずら防止機能を提供するように構成される、請求項１７に記載の容器。
【請求項２０】
前記容器が、前記オリフィスレデューサを前記本体に恒久的に固定する前に内容物で予め充填され、前記内容物が、
ａ．複数の医薬用または機能性食品用錠剤、カプセル、顆粒、または丸薬、
あるいは、
ｂ．医薬用または機能性食品用粉末または液体、
あるいは、
ｃ．錠剤、顆粒、粉末、または液体の形態の工業用化学薬品、
あるいは、
ｄ．粉末、液体、または複数の固体単位の形態の食料品
を含む、請求項１６または１７に記載の容器。
【請求項２１】
ヒートシールが、前記オリフィスレデューサを前記容器に恒久的に接着するために、前記オリフィスレデューサの前記下向き環状係合面と前記縁の前記上係合面との間に設けられ、前記ヒートシールが、前記オリフィスレデューサを前記容器に恒久的に固定するための唯一の手段である、請求項１６または１７に記載の容器。
【請求項２２】
前記オリフィスレデューサの前記下向き環状係合面が前記縁の前記上係合面に、それらの間に別の接着材料を用いずに恒久的に接着される、請求項１６または１７に記載の容器。
【請求項２３】
前記第１のシール部が、誘導シーリングによって加熱されるとき、前記下向き環状係合面を融解させ、その後、冷えてから、十分に硬化させて、前記オリフィスレデューサを前記縁の前記上係合面に恒久的に接着する箔を備える、請求項１６または１７に記載の容器。
【請求項２４】
ａ．基部と、前記基部から延在して容器の開口部を囲む縁につながる１つまたは複数の側壁とを有する本体であって、前記縁が、前記開口部から前記縁の外周まで延在する連続的な環状上係合面を有する、本体と、
ｂ．クロージャであって、
ｉ．ポリマーオリフィスレデューサであって、前記オリフィスレデューサが前記容器の前記縁の上に配設され、前記オリフィスレデューサが、下面と、上面と、前記下面から前記上面に通過させる少なくとも１つの予め形成された小出し開口部とを有し、前記下面が、前記縁の前記上係合面の上に配設されて、前記上係合面に恒久的に固定される下向き環状係合面を含む、射出成型部品であるポリマーオリフィスレデューサと、
ｉｉ．前記オリフィスレデューサの前記上面の少なくとも一部の上に配設される可撓性の不正開封防止シールであって、前記可撓性の不正開封防止シールが第１のシール部と第２のシール部とを含み、前記第１のシール部が、前記下向き環状係合面の真上の前記オリフィスレデューサの前記上面の少なくとも一部の領域の上に配設され、前記第２のシール部が前記少なくとも１つの予め形成された小出し開口部を覆い、前記可撓性の不正開封防止シールが前記オリフィスレデューサより可撓性であり、前記第２のシール部が、前記少なくとも１つの予め形成された小出し開口部にアクセスするために、前記少なくとも１つの予め形成された小出し開口部から少なくとも一部において取り除かれる、かつ／または、貫通穴が開けられるように構成され、前記第１のシール部は、前記第１のシール部が加熱されるとき、前記オリフィスレデューサの前記下向き環状係合面を前記容器の前記縁の前記上係合面にヒートシールにより恒久的に固定するように構成され、これにより前記可撓性の不正開封防止シールが前記オリフィスレデューサの前記上面の少なくとも一部に固定される、可撓性の不正開封防止シールと
を備え、
前記オリフィスレデューサは第１の厚さと第２の厚さを有し、前記第１の厚さは前記上面と前記下向き環状係合面との間で、前記上面の真下に位置し、前記第２の厚さは前記下向き環状係合面から半径方向内側の任意の部分における前記オリフィスレデューサの厚さであり、前記第２の厚さが前記第１の厚さより大きい、クロージャと
を備える、容器。
【請求項２５】
前記第１の厚さが、０．１〜１．０ｍｍである、請求項２４に記載の容器。
【請求項２６】
前記オリフィスレデューサの前記下向き係合面が、前記第１のシール部の少なくともいくつかを加熱することによって、前記縁の前記上係合面に恒久的に接着され、それによって、前記下向き係合面を融解させ、その後、冷えてから、十分に硬化させて、前記オリフィスレデューサを前記縁の前記上係合面に恒久的に接着する、請求項２４または２５に記載の容器。
【請求項２７】
前記オリフィスレデューサの前記下面の少なくとも一部に取り付けられたまたは一体である、活性薬剤が混入されたポリマーをさらに備える、請求項２４または２５に記載の容器。
【請求項２８】
前記クロージャが、
ａ．スナップフィット、締まり嵌め、または螺合によって、前記縁の外部および／または前記容器の首部に固定されるのに適合された下向き突出スカート、
ならびに／あるいは、
ｂ．スナップフィット、締まり嵌め、または螺合によって、前記縁の内部および／または前記容器の前記首部に固定されるのに適合された下向き突出ストッパ
を含まない、請求項２４または２５に記載の容器。
【請求項２９】
前記オリフィスレデューサが、少なくとも一部において、熱可塑性樹脂から射出成形される、請求項２４または２５に記載の容器。
【請求項３０】
前記可撓性の不正開封防止シールが、前記容器の前記縁の前記上係合面に直接接触しない、請求項２４または２５に記載の容器。
【請求項３１】
前記上部から垂れ下がり、環状境界で終了する環状スカートを有する上部を有するキャップをさらに備え、前記キャップが前記キャップの前記スカート内に内部空間を画定し、前記オリフィスレデューサおよび前記可撓性の不正開封防止シールが、前記キャップの前記内部空間内に配設され、前記オリフィスレデューサはどの部分も前記環状境界を越えて延在せず、前記キャップが前記開口部の上に取り外し可能に固定される、請求項２４または２５に記載の容器。
【請求項３２】
前記キャップが、前記キャップを前記容器から取り外すために、単一方向の力を２つ以上前記キャップに加える必要がある子供のいたずら防止機能を備える、請求項３１に記載の容器。
【請求項３３】
前記容器が、前記オリフィスレデューサを前記本体に恒久的に固定する前に内容物で予め充填され、前記内容物が、
ａ．複数の医薬用または機能性食品用錠剤、カプセル、顆粒、または丸薬、
あるいは、
ｂ．医薬用または機能性食品用粉末または液体、
あるいは、
ｃ．錠剤、顆粒、粉末、または液体の形態の工業用化学薬品、
あるいは、
ｄ．粉末、液体、または複数の固体単位の形態の食料品
を含む、請求項２４または２５に記載の容器。
【請求項３４】
ヒートシールが、前記オリフィスレデューサを前記容器に恒久的に接着するために、前記オリフィスレデューサの前記下向き環状係合面と前記縁の前記上係合面との間に設けられ、前記ヒートシールが、前記オリフィスレデューサを前記容器に恒久的に固定するための唯一の手段である、請求項２４または２５に記載の容器。
【請求項３５】
前記オリフィスレデューサの前記下向き環状係合面が前記縁の前記上係合面に、それらの間に別の接着材料を用いずに恒久的に接着される、請求項２４または２５に記載の容器。
【請求項３６】
前記第１のシール部が箔を備える、請求項２４または２５に記載の容器。
【請求項３７】
ａ．上部から垂れ下がり、環状境界で終了する環状スカートを有する上部を有するキャップであって、前記キャップが前記キャップの前記スカート内に内部空間を画定する、キャップと、
ｂ．ポリマーオリフィスレデューサであって、前記オリフィスレデューサが容器の縁および開口部の上に配設されるように構成され、前記オリフィスレデューサが、下面と、上面と、前記下面から前記上面に通過させる少なくとも１つの予め形成された小出し開口部とを有し、前記下面が、前記縁の上係合面の上に配設されて、前記上係合面に恒久的に固定されるように構成される下向き環状係合面を含む、射出成型部品であるポリマーオリフィスレデューサと、
ｃ．前記オリフィスレデューサの前記上面の少なくとも一部の上に配設される可撓性の不正開封防止シールであって、前記可撓性の不正開封防止シールが第１のシール部と第２のシール部とを含み、前記第１のシール部が、前記下向き係合面の真上の前記オリフィスレデューサの前記上面の少なくとも一部の領域の上に配設され、前記第２のシール部が前記少なくとも１つの予め形成された小出し開口部を覆い、前記可撓性の不正開封防止シールが前記オリフィスレデューサより可撓性であり、前記第２のシール部が、前記少なくとも１つの予め形成された小出し開口部から少なくとも一部において取り除かれる、かつ／または、前記少なくとも１つの予め形成された小出し開口部にアクセスするために貫通穴が開けられるように構成され、前記第１のシール部が、前記オリフィスレデューサの前記下向き環状係合面を融解させて、その後、冷えてから、前記オリフィスレデューサの前記下向き環状係合面と前記容器の前記縁の前記上係合面との間にヒートシールを形成するために十分に硬化させるように、誘導シーリングプロセス中に加熱されるように構成される材料を備え、これにより前記可撓性の不正開封防止シールを前記オリフィスレデューサの前記上面の少なくとも一部に固定させる、可撓性の不正開封防止シールと
を備え、
前記オリフィスレデューサは第１の厚さと第２の厚さを有し、前記第１の厚さは前記上面と前記下向き環状係合面との間で、前記上面の真下に位置し、前記第２の厚さは前記下向き環状係合面から半径方向内側の任意の部分における前記オリフィスレデューサの厚さであり、前記第２の厚さが前記第１の厚さより大きい、
容器のためのクロージャ。
【請求項３８】
前記第１のシール部が、前記オリフィスレデューサの前記上面を越えて径方向に延在しない、請求項３７に記載のクロージャ。
【請求項３９】
前記第１の厚さが、０．１〜１．０ｍｍである、請求項３７に記載のクロージャ。
【請求項４０】
前記オリフィスレデューサの前記下面の少なくとも一部に取り付けられたまたは一体である、活性薬剤が混入されたポリマーをさらに備え、前記オリフィスレデューサが射出成形ポリマーであり、前記活性薬剤が混入されたポリマーが、マルチショット射出成形プロセスで前記オリフィスレデューサ上に射出成形される、請求項３７〜３９のいずれか一項に記載のクロージャ。
【請求項４１】
前記クロージャが、
ａ．スナップフィット、締まり嵌め、または螺合によって、前記縁の外部および／または前記容器の首部に固定されるのに適合された下向き突出スカート、
ならびに／あるいは、
ｂ．スナップフィット、締まり嵌め、または螺合によって、前記縁の内部および／または前記容器の前記首部に固定されるのに適合された下向き突出ストッパ
を含まない、請求項３７〜３９のいずれか一項に記載のクロージャ。
【請求項４２】
前記キャップが、外キャップ内に固定される内キャップを備えるキャップ組立体であり、前記キャップ組立体が子供のいたずら防止機能を提供するように構成される、請求項３７〜３９のいずれか一項に記載のクロージャ。
【請求項４３】
ａ．基部と、前記基部から延在して容器の開口部を囲む縁につながる１つまたは複数の側壁とを有する本体を備える前記容器を提供するステップであって、前記縁が、前記開口部から前記縁の外周まで延在する連続的な環状上係合面を有する、提供するステップと、
ｂ．前記開口部を通して前記容器に内容物を充填するステップと、
ｃ．ステップ（ｂ）の後、前記下向き環状係合面が前記縁の前記上係合面の上に配設されるように、請求項１〜１５または３７〜４２のいずれか一項に記載の前記クロージャを前記容器の前記縁および開口部の上に配置するステップと、
ｄ．ステップ（ｃ）の後、前記オリフィスレデューサを前記容器に恒久的に接着するために、前記オリフィスレデューサの前記下向き環状係合面と前記縁の前記上係合面との間に前記ヒートシールを形成するステップと
を含む、容器を充填および密封するためのプロセス。
【請求項４４】
前記ヒートシールが、前記第１のシール部の少なくとも一部を加熱することによって形成され、それによって、前記下向き環状係合面を融解させ、その後、冷えてから、十分に硬化させて、前記オリフィスレデューサを前記縁の前記上係合面に恒久的に接着する、請求項４３に記載のプロセス。
【請求項４５】
前記ヒートシールが、前記クロージャおよび容器に誘導シーリングプロセスを受けさせることによって形成される、請求項４３または４４に記載のプロセス。
【請求項４６】
前記オリフィスレデューサの前記下向き環状係合面が前記縁の前記上係合面に、それらの間に別の接着材料を用いずに恒久的に接着される、請求項４３または４４に記載のプロセス。
【請求項４７】
前記クロージャが、
ａ．スナップフィット、締まり嵌め、または螺合によって、前記縁の外部および／または前記容器の首部に固定される下向き突出スカート、
ならびに／あるいは、
ｂ．スナップフィット、締まり嵌め、または螺合によって、前記縁の内部および／または前記容器の前記首部に固定される下向き突出ストッパ
を含まない、請求項４３または４４に記載のプロセス。
【請求項４８】
前記不正開封防止シールが、前記容器の前記縁の前記上係合面に直接接触しない、請求項４３または４４に記載のプロセス。
【請求項４９】
前記クロージャが、請求項３７〜４２のいずれか一項に記載のクロージャであり、ステップ（ｃ）がふた付け機によって実行され、その後、前記容器が、コンベヤによって、ステップ（ｄ）を実行する誘導シーラーへ移送される、請求項４３または４４に記載のプロセス。
【請求項５０】
前記ヒートシールが、前記オリフィスレデューサを前記容器に恒久的に固定するための唯一の手段である、請求項４３または４４に記載のプロセス。
【請求項５１】
ａ．前記ポリマーオリフィスレデューサに、前記オリフィスレデューサの前記上面に固定される前記可撓性の不正開封防止シールを提供するステップであって、前記可撓性の不正開封防止シールが、インモールドラベリングおよび／または誘導シーリングによって前記オリフィスレデューサの前記上面に事前に固定されている、提供するステップと、
ｂ．ステップ（ａ）の後、前記オリフィスレデューサを前記キャップの前記内部空間に圧入するステップと
を含む、
あるいは、
ａａ．前記ポリマーオリフィスレデューサに、前記オリフィスレデューサの前記上面に配設されるが最初は固定されない前記可撓性の不正開封防止シールを提供するステップと、
ｂｂ．ステップ（ａａ）の後、前記オリフィスレデューサを前記キャップの前記内部空間に圧入するステップと、
ｃｃ．前記可撓性の不正開封防止シールを前記オリフィスレデューサの前記上面に恒久的に固定するために、前記クロージャに誘導シーリングを受けさせるステップと
を含む、請求項３７〜４２のいずれか一項に記載のクロージャを製造するためのプロセス。
【請求項５２】
ステップ（ａａ）および（ｂｂ）が実行された後、
ｄｄ．基部と、前記基部から延在して容器の開口部を囲む縁につながる１つまたは複数の側壁とを有する本体を備える前記容器を提供するステップであって、前記縁が、前記開口部から前記縁の外周まで延在する連続的な環状上係合面を有する、提供するステップと、
ｅｅ．前記下向き環状係合面が前記縁の前記上係合面の上に配設されるように、前記クロージャを前記容器の前記縁および開口部の上に配置するステップと
をさらに含み、
ステップ（ｃｃ）がステップ（ｅｅ）の後にのみ実行されて、それにより、前記クロージャに誘導シーリングを受けさせることが、前記オリフィスレデューサの前記下向き係合面を、前記容器の前記縁の前記上係合面に恒久的に接着する、請求項５１に記載のプロセス。